(57)【要約】【課題】本発明は、端末装置に接続したままメディアの交換を操作性良く行える情報再生装置の提供を目的とする。【解決手段】本体と、本体に設けられ他の端末装置との電気的接続を行うコネクタ部と、メディア挿入部と、本体に対して１軸を固定した片持ちの機構で昇降自在に設けられるとともにメディア挿入部を開閉する昇降部と、昇降部に保持され、メディアから少なくとも情報を再生する再生部と、昇降部と本体とを引き離す方向に付勢力を加える記録再生機構部持ち上げばね３８と、本体と昇降部とを係止する側面係留部材３６と、本体と昇降部との間の開閉距離を規制する昇降規制部材４０とを有し、側面係留部材３６は、本体と昇降部が係止されている状態では、メディア挿入部を閉じ、係止が解除されると、昇降部は記録再生機構部持ち上げばね３８によって本体から離れていくとともにメディア挿入部を開放する。【選択図】図１０
2006018890.tif 000002
【特許請求の範囲】
【請求項１】
本体と、前記本体に設けられ他の端末装置との電気的接続を行うコネクタ部と、前記本体に設けられたメディアを挿入するメディア挿入部と、前記本体に対して１軸を固定した片持ちの機構で昇降自在に設けられるとともに前記メディア挿入部を開閉する昇降部と、前記昇降部に保持され前記メディアから少なくとも情報を再生する再生部と、前記昇降部と前記本体とを引き離す方向に付勢力を加える弾性部材と、前記本体と前記昇降部とを係止する係止部材と、前記本体と前記昇降部との間の開閉距離を規制する規制部材とを有し、前記係止部材は、前記本体と前記昇降部が係止されている状態では、前記メディア挿入部を閉じ、前記係止部材の係止が解除されると、前記昇降部は前記弾性部材によって前記本体から離れていくとともに前記メディア挿入部を開放することを特徴とする情報再生装置。
【請求項２】
前記メディアを光ディスクとし、前記再生部を光ピックアップとしたことを特徴とする請求項１に記載の情報再生装置。
【請求項３】
前記弾性部材を前記昇降部に固定し、しかも複数箇所設けたことを特徴とする請求項１または２に記載の情報再生装置。
【請求項４】
前記昇降部に少なくとも一部が金属で構成されたカバーを備え、前記カバーの一部で前記メディア挿入部を開閉することを特徴とする請求項１から３のいずれかに記載の情報再生装置。
【請求項５】
前記本体の一方の端部に前記コネクタ部を、前記本体の他方の端部に前記メディア挿入部を備え、前記昇降部を前記コネクタ部側と逆の面に設けたことを特徴とする請求項１から４のいずれかに記載の情報再生装置。
【請求項６】
前記携帯端末機器との電気的接続を行うために、コンパクトフラッシュ（登録商標）規格のコネクタ、ＳＤカード規格またはユニバーサルシリアルバスのコネクタを有することを特徴とする請求項１から５のいずれかに記載の情報再生装置。
【発明の詳細な説明】
【技術分野】
【０００１】
本発明は、携帯情報機器、携帯電話、携帯ゲーム機などに代表される携帯端末機器およびパーソナルコンピュータ（以下、「パソコン」と称す。）等に接続可能であって、少なくとも情報の再生が行える情報再生装置に関するものである。
【背景技術】
【０００２】
デジタル技術の発達に伴い、取り扱うデータが急増している。このため、様々な用途に合わせたデータ記録再生メディアが開発されている。コンピュータなどに使用される記録再生メディアとしては、ハードディスク、光ディスク、半導体メモリなどが挙げられる。特に、光ディスクを使用した記録再生メディアは、光ディスクの交換による容量当たりのコストの優位性、ランダムアクセス性、再生専用（ＲＯＭ）としたときに、ディスク製造の容易性に優れている。
【０００３】
一方、記録再生メディアを使用するパソコンなどの機器を室内だけではなく、屋外に持ち出して使用したいという要求がある。例えば、ラップトップコンピュータなどの携帯型パソコン、携帯情報端末（ＰＤＡ）に代表される携帯機器、携帯電話、携帯ゲーム機器、デジタルカメラなどを挙げることができる。このとき、データ記録メディアに装備されたデータ記録装置の記録容量が少ない場合、一般に半導体メモリが使用される。半導体メモリは消費電力が少なく、機構部がないために故障に強く、データ転送速度は非常に高速であるというメリットがある。しかし、記憶容量当たりのコストが高いために、大容量の記録メディアには不向きである。
【０００４】
これに対して、データ記録装置として、一般に使用頻度の高いハードディスクドライブ（ＨＤＤ）装置は半導体メモリほどではないが転送速度も高く、記録容量当たりのコストが安価であるために、大容量記録メディアとして適している。
【０００５】
現在、ＰＤＡなどに代表される携帯機器において、コンパクトフラッシュ（登録商標）（Ｃｏｍｐａｃｔ  Ｆｌａｓｈ）カード（以下、ＣＦカードと称する。）と呼ばれているカードタイプのメディアを使用する規格コネクタが装備されており、前記コネクタにメモリとして使用する半導体メモリカード、ＨＤＤ装置（通称マイクロドライブ）を接続することによりデータの記憶容量を増大させることが可能であり、また、その他の用途として、無線ユニット、ＬＡＮカード、ＧＰＳカード、デジタルカメラユニット、バーコードユニットを接続することが可能であり、携帯機器の使用用途を拡張している。
【０００６】
（特許文献１）には、光ディスクドライブ本体に対して開閉自在に取り付けられて光ディスクを内装したカートリッジを格納するトレイを備える小型の光ディスクドライブ装置について記載されている。
【特許文献１】特開平１０―９７７８１号公報
【発明の開示】
【発明が解決しようとする課題】
【０００７】
しかしながら、（特許文献１）に記載の情報再生装置においては、メディアの交換時に、情報再生装置をコンピュータから引き抜かなければならず、操作性が悪いという問題点がある。
【０００８】
そこで、本発明は、情報再生装置を端末装置に接続したままメディアの交換を操作性良く行える情報再生装置を提供することを目的とする。
【課題を解決するための手段】
【０００９】
本発明は上記課題を解決するために、本体と、前記本体に設けられ他の端末装置との電気的接続を行うコネクタ部と、前記本体に設けられたメディアを挿入するメディア挿入部と、前記本体に対して１軸を固定した片持ちの機構で昇降自在に設けられるとともに、前記メディア挿入部を開閉する昇降部と、前記昇降部に保持され前記メディアから少なくとも情報の再生を行う再生部と、前記昇降部と前記本体とを引き離す方向に付勢力を加える弾性部材と、前記本体と前記昇降部とを係止する係止部材と、前記本体と前記昇降部との間の開閉距離を規制する規制部材とを有し、前記係止部材は、前記本体と前記昇降部が係止されている状態では、前記メディア挿入部は閉じ、前記係止部材の係止が解除されると、前記昇降部は前記弾性部材によって前記本体から離れていくとともに前記メディア挿入部を開放することを特徴とする。
【発明の効果】
【００１０】
本発明によれば、コネクタ部を他の端末装置に接続したまま昇降部の昇降によってメディア挿入部の開閉を行うことができる。よって、情報再生装置を他の端末装置に接続したままメディアを交換することができ、操作性が向上する。
【発明を実施するための最良の形態】
【００１１】
本願の第１の発明は、本体と、本体に設けられ他の端末装置との電気的接続を行うコネクタ部と、本体に設けられたメディアを挿入するメディア挿入部と、本体に対して１軸を固定した片持ちの機構で昇降自在に設けられるとともに、メディア挿入部を開閉する昇降部と、昇降部に保持されメディアから少なくとも情報の再生を行う再生部と、昇降部と本体を引き離す方向に付勢力を加える弾性部材と、本体と昇降部とを係止する係止部材と、本体と昇降部との間の開閉距離を規制する規制部材とを有し、係止部材は、本体と昇降部が係止されている状態ではメディア挿入部を閉じており、係止部材の係止が解除されると、昇降部は弾性部材によって本体から離れていくとともにメディア挿入部を開放することを特徴としたものである。
【００１２】
上記構成により、コネクタ部を他の端末装置に接続したまま、昇降部の昇降によってメディア挿入部の開閉を行えるので、情報再生装置を他の端末装置などに挿入したままメディアを交換することができ、操作性が向上する。
【００１３】
本願の第２の発明は、メディアを光ディスクとし、再生部を光ピックアップとしたことを特徴とする請求項１に記載の情報再生装置であり、小径のディスクでも大量のデータを記録できるので、映画等の動画を再生可能とすることができる。
【００１４】
本願の第３の発明は、弾性部材を昇降部に固定し、しかも複数箇所設けたことを特徴とする請求項１に記載の情報再生装置であり、確実に昇降部の昇降を行うことができる。
【００１５】
本願の第４の発明は、昇降部に少なくとも一部が金属で構成されたカバーを備え、カバーの一部でメディア挿入部を開閉することを特徴とする請求項１に記載の情報再生装置であり、少なくとも一部が金属で構成されたカバーを備えたことによって再生部で生じるノイズや外部からのノイズを遮断できる。また、カバーの形状を任意に変えることで、確実にメディア挿入部を開閉することができる。
【００１６】
本願の第５の発明は、本体の一方の端部にコネクタ部を、前記本体の他方の端部にメディア挿入部を備え、前記昇降部を前記コネクタ部側と逆の面に設けたことを特徴とする請求項１に記載の情報再生装置であり、昇降部をコネクタ部側と逆の面に設けたことによってコネクタ部とメディア挿入部とを本体において最大限に離して配置できるので、コネク
タ部を端末装置に接続した後でも、昇降部を端末装置外に配置することができる。
【００１７】
本願の第６の発明は、端末装置との電気的接続を行うために、コンパクトフラッシュ（登録商標）規格のコネクタ、ＳＤカード規格またはユニバーサルシリアルバス（ＵＳＢ）のコネクタを有する請求項１に記載の情報再生装置であり、市販されている端末装置への接続性を拡張することができる。
【００１８】
（実施の形態１）
以下、本発明の実施の形態に係る情報再生装置ついて、図１に基づいて説明する。図１は、本発明の実施の形態１に係る情報再生装置の側面斜視図である。
【００１９】
図１に示すように情報再生装置２０１は、ＣＦカード規格機構部（本体）１０１と、ＣＦカード規格機構部１０１に対して１軸で固定され、昇降自在に設けられた記録再生機構部（昇降部）１００とから構成される。記録再生機構部１００は、光ディスクに対して情報の記録か再生の少なくとも一方を行う光ディスクの記録再生機器を有する。ＣＦカード規格機構部１０１は、ＣＦカード規格に対応するコネクタを有する。
【００２０】
ここで、記録再生機構部１００の内部構造について図２〜図４を用いて説明する。図２は、記録再生機構部１００を覆うカバー１，２の斜視図である。図３は、カバー１，２を記録再生機構部１００から取り外した状態を示す斜視図である。図４は、記録再生機構部１００から記録再生機構部内回路基板１０を取り外した状態を示す図である。
【００２１】
図２に示すように、カバー１は上面部を、カバー２は側壁部を構成している。記録再生機構部１００はカバー１，２によって覆われている。カバー１，２は同一材料でも良いが、互いに異なる材料にしても良い。本発明の実施の形態におけるカバー１は金属材料で、カバー２は樹脂材料で構成される。この構成により、記録再生機構部１００の放熱性の向上、電子ノイズの漏洩防止等の効果が得られる。カバー１，２の材料の選択は、熱問題やノイズ問題、或いは機械的強度の問題等によって適宜選択可能である。
【００２２】
図３において、記録再生機構部１００内に設けられた記録再生機構部内回路基板１０は、光ディスクから読み取られた信号を送受信する光ピック信号用フレキシブルプリント基板（Ｆｌｅｘｉｂｌｅ  Ｐｒｉｎｔｅｄ  Ｃｉｒｃｕｉｔ：以下ＦＰＣと称す。）１１と、ＣＦカード規格機構部１０１内の回路基板と信号を送受信する基板間ＦＰＣ１２と、記録再生機構部回路基板１０上に取り付けられ記録再生機構部１００の上下方向の動作により、オン、オフされる電子スイッチ１３とを備える。
【００２３】
記録再生機構部１００のベースとなる記録再生機構本体部２０は、図４に示すように、光ディスクの記録再生を行う光ピックアップモジュール２１と、光ディスクを回転させるための動力源となるスピンドルモータ２２と、光ピックアップモジュール２１を光ディスクの内周、外周位置に移動させるためにねじを切られたリードスクリューシャフト２３と、リードスクリューシャフト２３より光ピックアップモジュール２１に動力を伝達させると同時に光ピックアップモジュール２１に組み込まれたＦＰＣを保持するラック板バネ２４と、リードスクリューシャフト２３に固定されたリードスクリューシャフト歯車２５と、リードスクリューシャフト２３を任意の方向に押圧するリードスクリューシャフト押圧ばね２６と、両側に歯車を備え、中心部にスリットを設けた円形状の遮蔽板を持つ中間歯車２７と、リードスクリューシャフト２３を回転させる動力源となるフィードモータ２８と、フィードモータ２８の回転軸に取り付けられたモータ歯車２９と、フィードモータ２８を保持するモータ固定部材３０と、フィードモータ２８の回転数を計測するために中間歯車の回転数を計測するフォトインターラプター３１と、光ディスクが組み込まれた光ディスクカートリッジを情報再生装置２０１に着脱する際に、記録再生機構部１００上下動
作を検知する記録再生機構部上下動作感知レバー３２と、光ピックアップモジュール２１の光ディスクの内周、外周位置への動作を規制、誘導するガイドシャフト３３と、ガイドシャフト３３を記録再生機構本体部２０に固定するガイドシャフト固定部材３４と、ＣＦカード規格機構部１０１の両側に取り付けられた金属製の側面ガイド部材３５と、ＣＦカード規格機構部１０１の両側に備え付けられ、ＣＦカード規格機構部１０１に記録再生機構本体部２０を係留する爪形状を有する側面係留部材３６と、側面係留部材３６に対して任意の方向に付勢力を付与する側面係留付勢力ばね３７と、光ディスクが組み込まれた光ディスクカートリッジを情報再生装置２０１に着脱する際に、記録再生機構本体部２０を持ち上げる弾性部材である捻りばねで形成された記録再生機構部持ち上げばね３８と、側面係留部材３６に固定されたスライドボタン３９と、記録再生機構本体部２０の上昇位置を規制する昇降規制部材４０とを備える。
【００２４】
次に、ＣＦカード規格に対応するコネクタと本体を有するＣＦカード規格機構部１０１について図５〜６を用いて説明する。図５はＣＦカード規格機構部１０１の外観図である。図６は、ＣＦカード規格機構部の内部構造の斜視図である。
【００２５】
ＣＦカード規格機構部１０１は、ＣＦカード規格コネクタ５０と、ＣＦカード規格機構部フレーム５１と、ＣＦカード規格機構部フレーム５１の上面を覆う金属製の上面カバー５２とを備える。さらに、図６に示すように、ＣＦカード規格機構部１０１は、光ディスク６０と、光ディスク６０を収納する光ディスクカートリッジ６１と、光ディスクカートリッジ６１に取り付けられたカートリッジシャッター６２と、ＣＦカード規格機構部回路基板６３とを備える。
【００２６】
図７は、光ディスクカートリッジ６１の内部構造を示す図である。光ディスクカートリッジ６１は、光ディスク６０に固定された金属リング６４と、カートリッジシャッター６２が移動する先端部にカートリッジシャッター６２を係留めするシャッター係留部材６５とを備える。
【００２７】
図８に、ＣＦカード規格機構部フレーム５１を取り除いたＣＦカード規格機構部１０１の内部構造を示す。ＣＦカード規格機構部１０１は、光ディスクカートリッジ６１がＣＦカード規格機構部１０１に挿入された際に、光ディスクカートリッジ６１を保持するカートリッジトレイ７０と、光ディスクカートリッジ６１をＣＦカード規格機構部１０１から排出するためのカートリッジ排出部材７１と、カートリッジ排出部材７１を押し出す動力となるカートリッジ排出ばね７２と、カートリッジ排出ばね７２の動力をカートリッジ排出部材７１に伝達するカートリッジ排出シャフト７３と、光ディスクカートリッジ６１がカートリッジトレイ７０に挿入を完了されたとき、カートリッジ排出部材７１を固定するカートリッジ排出部材固定ばね７４とを側面部に備える。
【００２８】
図９に、ＣＦカード規格機構部１０１の下面を示す。ＣＦカード規格機構部１０１は、ＣＦカード規格機構部フレームの下面を覆う金属製の下面カバー７５を備える。
【００２９】
次に、本発明の実施の形態に係る情報再生装置２０１の操作法と動作について図１０〜図２１に基づいて説明する。図１０は、記録再生機構部１００の昇降を説明する図である。図１１は、記録再生機構本体部２０の昇降を説明する図である。図１２は、記録再生機構部１００が上昇した状態を示す斜視図である。図１３は、光ディスクカートリッジ６１をＣＦカード規格機構部１０１に挿入した状態を示す図である。図１４は、光ディスクカートリッジ６１がＣＦカード規格機構部１０１に挿入された時のＣＦカード規格機構部１０１の内部を示す図である。図１５は、光ディスクカートリッジ６１がＣＦカード規格機構部１０１に挿入された時のカートリッジ排出部材７１の状態を示す図である。図１６は、記録再生機構部１００が下降する状態を説明する斜視図である。図１７は、光ディスク
６０がスピンドルモータ２２の先端に固定された状態を示す斜視図である。図１８は、記録再生機構本体部２０とＣＦカード規格機構部１０１の底面部の斜視図である。図１９は、記録再生機構部上下動作感知レバー３２の動作を示す側面図である。図２０は、ＣＦカード規格機構部１０１の上面図である。図２１は、記録再生機構部内回路基板１０とＣＦカード規格機構部回路基板６３の接続を説明する斜視図である。
【００３０】
光ディスク６０を収納する光ディスクカートリッジ６１をＣＦカード規格機構部１０１に挿入または排出する場合、図１０に示すように、まず、側面係留部材３６に固定されたスライドボタン３９をＣＦカード規格コネクタ５０の方向（Ａ方向）へ移動させる。側面係留付勢力ばね３７により、側面係留部材３６は移動する方向と逆方向に付勢力を与えられる。スライドボタン３９をＡ方向へ移動させることにより、情報再生装置２０１のＣＦカード規格コネクタ５０がＰＤＡなどの端末装置から脱落するのを防止することができる。
【００３１】
スライドボタン３９がＡ方向に操作されると、記録再生機構本体部２０の両側面部に設けられたＭ部の凸形状部は側面係留バネ３６からはずれる。そして、記録再生機構本体部２０の両側面部に１個ずつ取り付けられた記録再生機構部持ち上げばね３８がＢ方向へ開き、Ｃ部のボス形状部のＩ軸を支点として、記録再生機構本体部２０はＤ方向に持ち上がる。本発明の実施の形態では、記録再生機構部持ち上げばね３８は捻りばねとなっているが、圧縮ばねとしてもよい。
【００３２】
記録再生機構本体部２０の両側に取り付けられた昇降規制部材４０の両側面Ｎ部に設けられたボス形状が側面ガイド部材３５に設けられた溝部に規制されることにより、記録再生機構本体部２０は図１０に示すようにその上昇位置が規制される。
【００３３】
図１１に示すように、スピンドルモータ２２の中心位置とＣ部のボス形状部間との距離を可能な限り離した位置にＣ部を設けることによって、記録再生機構本体部２０がＣ部のボス形状部のＩ軸を支点として上昇する際に、記録再生機構本体部２０の回転角度を最小にしつつ、光ディスク６０を挿入するための開口を最大にすることができる。
【００３４】
ここで、情報再生装置２０１が、カード型の形状である光ディスクドライブの場合、光ディスクドライブ自体の強度を上げる必要がある。そこで、側面ガイド部材３５を金属材料とすることによって、光ディスクドライブの強度を向上させることができる。また、光ディスクドライブに、ＣＦカード規格で設定されているアース機能を持たせることができる。
【００３５】
記録再生機構本体部２０が上昇すると、図１２に示すようにＣＦカード規格機構部１０１の前面部に光ディスクカートリッジの挿入部１０２が現れる。情報再生装置２０１の操作者は、光ディスクカートリッジ６１を挿入部１０２からＥ方向へ挿入する。挿入された光ディスクカートリッジ６１は図１３に示すように、カートリッジトレイ７０に従って情報再生装置２０１に挿入される。
【００３６】
カートリッジトレイ７０に設けられた折り曲げ部Ｙ部により、光ディスクカートリッジ６１に設けられたシャッター係留部材６５を動かし、シャッター係留部材６５が係合していたカートリッジシャッター６２のＺ部が拘束を解くことによってカートリッジシャッター６２が動く。よって、光ディスクカートリッジ６１の外部より、光ディスク６０を覗き見ることができる。
【００３７】
また、光ディスクカートリッジ６１をカートリッジトレイ７０内に挿入する過程において、図１４に示すように、光ディスクカートリッジ６１の後面部はカートリッジ排出部材
７１を光ディスクカートリッジ６１の挿入方向へ押し下げる。カートリッジ排出部材７１にはカートリッジ排出シャフト７３が、さらにカートリッジ排出シャフト７３にはカートリッジ排出ばね７２が取り付けられており、カートリッジ排出部材７１が押し下げられると同時にカートリッジ排出ばね７２は圧縮される。
【００３８】
さらに、図１５に示すように、カートリッジ排出部材７１に固定されたカートリッジ排出部材固定ばね７４の先端の矢印形状が、ＣＦカード規格機構部フレーム５１の側面部に設けられた凸形状に係合するまでカートリッジ排出部材７１は押し下げられて固定される。
【００３９】
光ディスクカートリッジ６１のＣＦカード規格機構部１０１への挿入動作が完了すると、図１６に示すように、記録再生機構部１００のカバー２を情報再生装置２０１の操作者がＦ方向に押圧力を加えることにより下降する。記録再生機構本体部２０を下降させる際、記録再生機構本体部２０の底面部に設けられた２本のボス形状４１は光ディスクカートリッジの位置決め穴４２に合致し、光ディスクカートリッジ６１の位置を正規の位置に位置決めする。
【００４０】
図１７に示すように、記録再生機構部１００の内部では、スピンドルモータ２２の先端に取り付けられた磁石と光ディスク６０に固定された固定された金属リング６４が吸着し、光ディスク６０はスピンドルモータ２２の先端に固定される。このとき、金属リング６４は、光ディスク６０を介してスピンドルモータ２２が存在する逆の面に接着剤などで固定されている。よって、スピンドルモータ２２に取り付けられた磁石が直接、金属リング６４と吸着することがない。そこで、金属リング６４を取り付ける接着剤が経時変化により劣化しても、スピンドルモータ２２に取り付けられた磁石が光ディスク６０に取り付けられた金属リング６４を抜去することはない。
【００４１】
記録再生機構本体部２０が下降する際、図１８に示すように、記録再生機構本体部２０の底面部に設けられた凸形状部Ｑ部がカートリッジ排出部材固定ばね７４に押圧力を加える。カートリッジ排出部材固定ばね７４はこの押圧力により撓み、Ｑ部の矢印形状が、ＣＦカード規格機構部フレーム５１の側面部に設けられた凸形状からはずれる。よって、カートリッジ排出部材７１は圧縮されたカートリッジ排出ばね７２の蓄積されたエネルギーにより、カートリッジ排出シャフト７３を介して押圧力を受ける。その結果、カートリッジ排出部材７１は光ディスクカートリッジ６１に排出するための押圧力を与えることとなる。そして、情報再生装置２０１の操作者が、光ディスクカートリッジ６１を取り出すためにスライドボタン３９を操作し、記録再生機構本体部２０が上昇すると、光ディスクカートリッジ６１はカートリッジトレイ７０から排出される。
【００４２】
記録再生機構本体部２０が下降すると同時に、図１９に示すように、モータ固定部材３０に摺動軸をもつ記録再生機構部上下動作感知レバー３２の下端が上面カバー５２に接触を開始する。すると、記録再生機構部上下動作感知レバー３２がＺ方向に回転するように動く。その結果、図３に示した電子スイッチ１３が動き、電子スイッチ１３が通電すると、記録再生機構部上下動作感知レバー３２は記録再生機構本体部２０の下降が完了したことを感知する。
【００４３】
情報再生装置２０１が記録再生機構本体部２０の下降が完了したことを感知すると、フィードモータ２８が回転することにより、光ピックアップモジュール２１は、モータ歯車２９、中間歯車２７、リードスクリューシャフト歯車２５を介してリードスクリューシャフト２３を回転させる。そして、回転するリードスクリューシャフト２３に押し当てられたリードスクリューシャフト押圧ばね２６により、リードスクリューシャフト２３の回転力が光ピックアップモジュール２１に伝達される。光ピックアップモジュール２１はガイ
ドシャフト３３に沿って、光ディスク６０の外周、内周間を動く。このとき、フォトインターラプター３１により、中間歯車２７の中心位置にスリットを設けた円形状の遮蔽板をカウントすることにより、フィードモータ２８の回転数を計算する。フィードモータ２８の回転数を計算することによって、光ピックアップモジュール２１の移動距離が計測でき、光ピックアップモジュール２１の動作を制御することができる。
【００４４】
図２０に示すように、光ディスクカートリッジ６１とＣＦカード規格機構部１０１の幅寸法が近接している場合、ＣＦカード規格機構部１０１の中心位置に光ディスクカートリッジの中心位置を合わせると、ＣＦカード規格機構部１０１の両端部に残されたスペースでは、カートリッジ排出部材７１、カートリッジ排出ばね７２、カートリッジ排出シャフト７３、カートリッジ排出部材固定ばね７４を構成させることが困難となる。そこで、本発明の実施の形態に係る情報再生装置２０１では、ＣＦカード規格機構部１０１の中心位置と光ディスクカートリッジ６１の中心位置をずらすことによってできた片側の空間部に、カートリッジ排出部材７１、カートリッジ排出ばね７２、カートリッジ排出シャフト７３、カートリッジ排出部材固定ばね７４を構成する場所を設けている。
【００４５】
さらに、図２１に示すように記録再生機構部内回路基板１０とＣＦカード規格機構部回路基板６３を接続する基板間ＦＰＣ１２を湾曲するように取り付けることによって、記録再生機構部１００の上下動に合わせて、基板間ＦＰＣ１２が追従するように動くことができる。
【００４６】
次に、本発明の実施の形態に係る情報再生装置２０１を、現在市販されている最薄のカード規格であるＣＦカードｔｙｐｅ１規格に準拠させる条件について、図２２に基づいて説明する。図２２は、ＣＦカードの形状規格で定められた傾斜部Ｒを示す図である。
ＣＦカード規格において、ＣＦカード規格機構部１０１の断面高さの最小規格値は３．３ｍｍである。他の端末機器に接続した場合においても携帯性を損なうことのないよう、図５，６，８，１０に示すように、ＣＦカードｔｙｐｅ１規格である３．３ｍｍ規格値寸法内に光ディスクカートリッジ６１が入るように配置する。本発明の実施の形態に係る情報再生装置２０１の光ディスクカートリッジ６１の高さ方向の寸法は２ｍｍとする。上面カバー５２、下面カバー７５を各０．２ｍｍ以下のＳＵＳなどの金属製板材を用い、また、光ディスクカートリッジ６１を保持するカートリッジトレイ７０を０．１５ｍｍ以下のＳＵＳなどの金属製板材を用いる。さらに、ＣＦカード規格機構部回路基板６３の厚さを０．５ｍｍ以下にし、残りの０．３５ｍｍを部品間のクリアランスとして分配する。この構成により、情報再生装置２０１を小型化することができる。当然ながら、光ディスクカートリッジ６１の光ディスクの高さ方向寸法を短くすることができれば、他の構成部品の高さ方向寸法を増加させることができ、本発明の実施の形態に係る情報再生装置２０１自体の強度などを増強させることができる。
【００４７】
また、部品の構成として、上面カバー５２、光ディスクカートリッジ６１、カートリッジトレイ７０、ＣＦカード規格機構部回路基板６３、下面カバー７５とすることにより、ＣＦカード規格機構部１０１内部の空間を効率的に利用することができる。
【００４８】
また、情報再生装置２０１をさらに小型化するため、図２２に示すように、ＣＦカードの形状規格で定められた傾斜部Ｒ部にスピンドルモータ２２の底面部を配置する。つまり、光ディスク６０の中心位置をＣＦカードの形状規格で定められた傾斜部に設けるか、または可能な限り近づけることにより、ＣＦカードｔｙｐｅ１規格である３．３ｍｍの高さの範囲に、光ディスクカートリッジ６１の位置をずらすことが可能となる。
【００４９】
一般にスピンドルモータ２２として、一般に市販されている光ディスクドライブに周対向型のモータが取り付けられている。しかし、スピンドルモータ２２の高さをさらに低く
するために、モータのコイルを細線、線間距離の狭ピッチ化が可能な高密度に印刷し、積層したセラミックコイルを使用したモータを利用することにより、スピンドルモータ２２の高さ方向の寸法を縮めることができる。さらに、ＣＦカードｔｙｐｅ１規格である３．３ｍｍの高さの範囲に、光ディスクカートリッジ６１の位置をずらすことができる。よって、本発明の実施の形態に係る情報再生装置２０１において、長手方向の寸法をさらに短縮することができるため、情報再生装置２０１の携帯性を向上させることができる。
【００５０】
なお、本発明の実施の形態においては、ＣＦ規格のコネクタについてのみ説明したが、現在、携帯情報機器のインターフェースとして、数多く採用されているＳＤ、ＵＳＢなどのコネクタ規格のコネクタにも代替可能である。
【産業上の利用可能性】
【００５１】
本発明は、コネクタ部を他の端末装置に接続したまま昇降部の昇降によってメディア挿入部の開閉を行うことができるので、携帯情報機器、携帯電話、携帯ゲーム機などに代表される携帯端末機器およびパソコン等に接続可能であって、少なくとも情報の再生が行える情報再生装置などに利用できる。
【図面の簡単な説明】
【００５２】
【図１】本発明の実施の形態１に係る情報再生装置の側面斜視図
【図２】記録再生機構部を覆うカバーの斜視図
【図３】カバーを記録再生機構部から取り外した状態を示す斜視図
【図４】記録再生機構部から記録再生機構部内回路基板を取り外した状態を示す図
【図５】ＣＦカード規格機構部の外観図
【図６】ＣＦカード規格機構部の内部構造の斜視図
【図７】光ディスクカートリッジの内部構造を示す図
【図８】ＣＦカード規格機構部フレームを取り除いたＣＦカード規格機構部の内部構造を示す図
【図９】ＣＦカード規格機構部下面の斜視図
【図１０】記録再生機構部の昇降を説明する図
【図１１】記録再生機構本体部の昇降を説明する図
【図１２】記録再生機構部が上昇した状態を示す斜視図
【図１３】光ディスクカートリッジをＣＦカード規格機構部に挿入した状態を示す図
【図１４】光ディスクカートリッジがＣＦカード規格機構部に挿入された時のＣＦカード規格機構部の内部を示す図
【図１５】光ディスクカートリッジがＣＦカード規格機構部に挿入された時のカートリッジ排出部材の状態を示す図
【図１６】記録再生機構部が下降する状態を説明する斜視図
【図１７】光ディスクがスピンドルモータの先端に固定された状態を示す斜視図
【図１８】記録再生機構本体部とＣＦカード規格機構部の底面部の斜視図
【図１９】記録再生機構部上下動作感知レバーの動作を示す側面図
【図２０】ＣＦカード規格機構部の上面図
【図２１】記録再生機構部内回路基板とＣＦカード規格機構部回路基板の接続を説明する斜視図
【図２２】ＣＦカードの形状規格で定められた傾斜部Ｒを示す図
【符号の説明】
【００５３】
１，２    カバー
１０    記録再生機構部内回路基板
１１    光ピック信号用ＦＰＣ
１２    基板間ＦＰＣ
１３    電子スイッチ
２０    記録再生機構本体部
２１    光ピックアップモジュール
２２    スピンドルモータ
２３    リードスクリューシャフト
２４    ラック板バネ
２５    リードスクリューシャフト歯車
２６    リードスクリューシャフト押圧ばね
２７    中間歯車
２８    フィードモータ
２９    モータ歯車
３０    モータ固定部材
３１    フォトインターラプター
３２    記録再生機構部上下動作感知レバー
３３    ガイドシャフト
３４    ガイドシャフト固定部材
３５    側面ガイド部材
３６    側面係留部材
３７    側面係留付勢力ばね
３８    記録再生機構部持ち上げばね
３９    スライドボタン
４０    昇降規制部材
４１    ボス形状
４２    位置決め穴
５０    ＣＦカード規格コネクタ
５１    ＣＦカード規格機構部フレーム
５２    上面カバー
６０    光ディスク
６１    光ディスクカートリッジ
６２    カートリッジシャッター
６３    ＣＦカード規格機構部回路基板
６４    固定された金属リング
６５    シャッター係留部材
７０    カートリッジトレイ
７１    カートリッジ排出部材
７２    カートリッジ排出ばね
７３    カートリッジ排出シャフト
７４    カートリッジ排出部材固定ばね
７５    下面カバー
１００    記録再生機構部
１０１    ＣＦカード規格機構部
１０２    挿入部
２０１    情報再生装置
【図１】
2006018890.tif 000003
【図２】
2006018890.tif 000004
【図３】
2006018890.tif 000005
【図４】
2006018890.tif 000006
【図５】
2006018890.tif 000007
【図６】
2006018890.tif 000008
【図７】
2006018890.tif 000009
【図８】
2006018890.tif 000010
【図９】
2006018890.tif 000011
【図１０】
2006018890.tif 000012
【図１１】
2006018890.tif 000013
【図１２】
2006018890.tif 000014
【図１３】
2006018890.tif 000015
【図１４】
2006018890.tif 000016
【図１５】
2006018890.tif 000017
【図１６】
2006018890.tif 000018
【図１７】
2006018890.tif 000019
【図１８】
2006018890.tif 000020
【図１９】
2006018890.tif 000021
【図２０】
2006018890.tif 000022
【図２１】
2006018890.tif 000023
【図２２】
2006018890.tif 000024